(57)【特許請求の範囲】
【請求項１】
電子的に切り替えられる電気モータ（２）を備えた空気脈動装置であって、前記モータは、ロータ（１６）及びステータ（１４）を具備し、前記ステータは前記ステータの支持手段（１０）と接触し、前記支持手段は電気的接地につながれた導電体であり、
前記ステータの近傍にはシールド（７０，８６，９０，９２）が配置され、前記シールド（７０，８６，９０，９２）は前記電気的接地にも電気的に接続されており、
前記ステータ（１４）は、内部穴（２０）の輪郭の範囲を定める中央壁（１８）を有する環状の形状を有し、モータ出力シャフト（８）が前記内部穴（２０）を通過し、
前記シールド（７０）は、前記ロータ（１６）と前記ステータ（１４）との間で、前記出力シャフト（８）に対して横方向に配置され、
前記内部穴（２０）を定める前記中央壁（１８）の内面（２２）は、前記穴の内部に向かって半径方向に延びる少なくとも１つのリブ（６０）を有し、
前記少なくとも１つのリブ（６０）は、ピン（６６）によって、実質的に前記内部穴（２０）の軸に向かって延長されている、
空気脈動装置。
【請求項２】
前記少なくとも１つのリブ（６０）は、それぞれが前記中央壁の前記内面（２２）を延長する２つの側面（６２）と、前記支持手段（１０）と接触するのに適した接触面（６４）と、を有することを特徴とする、請求項１に記載の空気脈動装置。
【請求項３】
前記接触面（６４）は内側に湾曲し、前記内部穴（２０）の軸上に中心がある円によって前記接触面の曲率が定められることを特徴とする、請求項２に記載の空気脈動装置。
【請求項４】
前記ピン（６６）は、前記接触面（６４）から突出して延びることを特徴とする請求項２又は３に記載の空気脈動装置。
【請求項５】
前記内部穴（２０）を定める前記中央壁（１８）の前記内面（２２）は、規則的な角度分布に従って配置された少なくとも３つのリブ（６０）を支持することを特徴とする、請求項１〜４のいずれか１項に記載の空気脈動装置。
【請求項６】
前記支持手段（１０）は、スリーブ（５０）及びプレート（４８）を具備する単一部品によって形成され、前記スリーブ（５０）の周りには前記ステータ（１４）が取り付けられ、前記プレート（４８）は、前記ロータの側とは反対の前記ステータの一方側において横方向に配置され、前記スリーブ（５０）が前記プレート（４８）から突出して延在することを特徴とする、請求項１〜５のいずれか一項に記載の空気脈動装置。
【請求項７】
前記モータの前記出力シャフト（８）は、転がり軸受（５８，５９）を介して前記スリーブ（５０）の内側で回転するように取り付けられていることを特徴とする請求項６に記載の空気脈動装置。
【請求項８】
前記支持手段（１０）の前記プレート（４８）は、特に前記ステータのコイルに電力を供給するための、制御電子回路基板（１２）を支持するヒートシンクを形成することを特徴とする、請求項６または７に記載の空気脈動装置。
【請求項９】
前記制御電子回路基板（１２）は、前記スリーブ（５０）とは反対に方向づけられた前記プレート（４８）の面上に配置されていることを特徴とする、請求項８に記載の空気脈動装置。
【請求項１０】
前記シールド（７０）は、前記ステータ（１４）の全部の径にわたって半径方向に延びることを特徴とする、請求項１〜９のいずれか一項に記載の空気脈動装置。
【請求項１１】
前記シールド（７０）は、その中心で穴（７２）によって穿孔された実質的に平坦な環状形状を有し、前記穴（７２）は、前記モータの前記出力シャフト（８）によって通過されることを特徴とする、請求項１〜１０のいずれか一項に記載の空気脈動装置。
【請求項１２】
前記シールド（７０）は、前記ステータに形成された孔（３２）と協働可能な少なくとも１つの固定ねじ（８０）によって、前記ステータ（１４）に固定されていることを特徴とする、請求項１〜１１のいずれか１項に記載の空気脈動装置。
【請求項１３】
前記ステータ（１４）の前記内部穴（２０）は、前記内部穴の範囲を定める前記中央壁（１８）の内径の変更を通じて２つの別個の部分を有し、より大きな径の第１の部分は、前記シールドの近傍で軸方向に位置決めされたエッジから、より小さな径の第２の部分の範囲を定める肩部エッジ（２８）まで延在し、固定ネジと協働する前記孔（３２）は前記肩部エッジに形成されていることを特徴とする、請求項１２に記載の空気脈動装置。
【請求項１４】
前記シールド（７０）は、少なくとも１つのタブ（７６）を備え、前記少なくとも１つのタブ（７６）は、実質的に直角に、前記シールドの前記穴（７２）の範囲を定めるエッジを延長し、前記少なくとも１つのタブ（７６）の自由端は支持エッジ（７８）を有し、前記シールドが前記ステータ（１４）を覆う位置にある場合には前記タブはこの支持エッジによって前記肩部エッジ（２８）と接触することを特徴とする、少なくとも請求項１１及び１２との組み合わせにおける請求項１３に記載の空気脈動装置。
【請求項１５】
前記支持エッジ（７８）は、前記固定ねじ（８０）の本体が前記孔（３２）内を通過してねじヘッドにより前記肩部エッジ（２８）に対して押しつけられることを許容するように配置されることを特徴とする、請求項１４に記載の空気脈動装置。
【請求項１６】
３つの孔（３２）が、前記ステータ（１４）の前記内部穴（２０）の周囲にわたって１２０°で均等に分布していることを特徴とする、請求項１２〜１５のいずれか一項に記載の空気脈動装置。
【請求項１７】
前記シールド（７０）は、前記支持手段（１０）に係合するように前記ステータ（１４）を通過することによって、前記モータの前記出力シャフト（８）と実質的に平行に延びる前記少なくとも１つの固定ねじ（８０）を介し、前記電気的接地に接続されていることを特徴とする、請求項１２〜１６のいずれか一項に記載の空気脈動装置。
【請求項１８】
前記ステータ（１４）は、前記ステータの前記内部穴（２０）を定める前記中央壁（１８）の前記内面（２２）から突出して配置された少なくとも１つの軸方向ボス（３０）を有し、前記ボスは、前記少なくとも１つの固定ねじ（８０）が貫通可能な前記孔（３２）によって軸方向に貫通されていることを特徴とする、請求項１２〜１７のいずれか一項に記載の空気脈動装置。
【請求項１９】
前記シールド（７０）は導電性材料で作られていることを特徴とする、請求項１〜１８のいずれか一項に記載の空気脈動装置。
【請求項２０】
前記シールド（７０）は、前記ステータ（１４）のカバーの一部を形成する第１のシールドであり、第２のシールド（８６，９０，９２）をさらに備え、前記第２のシールド（８６，９０，９２）は、前記ステータと前記支持手段（１０）との間で、前記第１のシールドにより覆われた側とは反対の前記ステータの軸方向側で前記ステータを覆うように配置されていることを特徴とする、請求項１〜１９のいずれか一項に記載の空気脈動装置。
【請求項２１】
前記第２のシールド（８６，９０）は、前記モータの前記出力シャフト（８）に対して横方向に延びることを特徴とする請求項２０に記載の空気脈動装置。
【請求項２２】
前記第２のシールド（８６，９０）は、前記ステータ（１４）の全部の径にわたって半径方向に延びていることを特徴とする、請求項２１に記載の空気脈動装置。
【請求項２３】
前記第２のシールド（８６，９０）は、その中心でモータ出力シャフトによって通過されるように貫通された実質的に平坦な環状形状を有することを特徴とする、請求項２２に記載の空気脈動装置。
【請求項２４】
前記第２のシールド（８６，９０）は、前記ステータ（１４）に固定されていることを特徴とする、請求項２１〜２３のいずれか一項に記載の空気脈動装置。
【請求項２５】
前記第２のシールド（９２）は、前記支持手段（１０）の前記プレート（４８）と前記ステータ（１４）との間で軸方向に延在することを特徴とする、請求項６に従属する場合における請求項２０に記載の空気脈動装置。
【請求項２６】
前記第２のシールド（９２）は、前記ステータ（１４）の周囲に支持された複数のプレート（３４）の延長部において実質的に延びることを特徴とする、請求項２５に記載の空気脈動装置。
【請求項２７】
前記第２のシールド（９２）は、環状クラウンリング形状を有することを特徴とする、請求項２６に記載の空気脈動装置。
【請求項２８】
前記第２のシールド（９２）は前記プレート（４８）に固定されていることを特徴とする、少なくとも請求項６に従属する場合における請求項２５〜２７のいずれか一項に記載の空気脈動装置。
【請求項２９】
前記第２のシールド（８６，９０，９２）は導電性材料で作られていることを特徴とする、請求項２０〜２８のいずれか一項に記載の空気脈動装置。
【請求項３０】
前記ステータは、前記中央壁（１８）の外面（２４）から半径方向に星状に配置された複数の歯（２６）であって、各々が磁場を生み出す磁気コイルを支持する複数の歯（２６）も備え、前記複数の歯は、前記中央壁とは反対側のそれらの遠位端において、前記出力シャフトの軸と実質的に平行に延びる金属プレート（３４）を有することを特徴とする、請求項１〜２９のいずれか一項に記載の空気脈動装置。
【請求項３１】
前記ステータ（１４）の周りに配置された前記ロータ（１６）は、少なくとも１つの永久磁石（４６）を支持し、前記少なくとも１つの永久磁石（４６）の前記磁気コイルとの相互作用によって前記ステータの周りでの前記ロータの回転運動を生成することを特徴とする、請求項３０に記載の空気脈動装置。
【請求項３２】
請求項１〜３１のいずれか一項に記載の空気脈動装置（１）を少なくとも１つ備える動力車の加熱、換気及び／又は空調システム。
【発明の詳細な説明】
【技術分野】
【０００１】
本発明は電気モータの分野に関し、特に、電子的に切り替えられるモータの分野に関する。より具体的には、そのような電気モータを備えた動力車（ｍｏｔｏｒ  ｖｅｈｉｃｌｅｓ）における空気脈動装置に関する。
【０００２】
本発明による電気モータを備えた空気脈動装置は、例えば、動力車の換気、暖房及び／又は空調システムにおいて使用される。
【背景技術】
【０００３】
電子的に切り替えられる電気モータまたはブラシレス直流モータは、ロータ及びステータアセンブリを備え、これらの構成要素のそれぞれは電磁要素を担持し、その相互作用はステータに対してロータの動きを生成する。ロータとステータは、互いに独立して前記モータに取り付けられており、これらの２つの構成要素の相対的な位置決めがモータの最適な作動のために正しいことを保証することが重要である。作動中のこれらの２つの構成要素は電磁放射線を生成し、その電磁放射線は近接して配置された他の電子デバイスの作動を乱しうる。
【発明の概要】
【発明が解決しようとする課題】
【０００４】
本発明はこの事情の範囲内にあり、その目的は、空気脈動装置からの電磁波の伝播を制限することを可能にする電気モータ及び関連する空気脈動装置を提案することである。
【課題を解決するための手段】
【０００５】
空気脈動装置は、空気を吸引及び／又は吹き出すことを可能にする装置であると理解されるべきである。
【０００６】
本発明による空気脈動装置は、電子的に切り替えられる電気モータの出力軸によって回転駆動されるファンホイールを備え、そのモータは少なくとも１つのロータを備え、その少なくとも１つのロータは、出力軸に関して回転可能に固定され、ステータ周りに回転するのに適している。そのステータは、出力軸が貫通する内部穴の輪郭を画定する中央壁を有する環状形状を有し、またそれは前記中央壁の外面から半径方向に星状に配置された複数の歯を備え、複数の歯の各々は電磁場を生成する磁気コイルを支持し、前記複数の歯はそれらの遠位端において中央壁とは反対に金属プレートを有し、それらの金属プレートは出力軸の軸に実質的に平行に延在する。特に、２つの隣接する金属プレートの間にコイルの巻線のための通過領域が形成されるように、各金属プレートを配置するために構成が設けられうる。ステータの周りに配置されたロータは、少なくとも１つの永久磁石を支持しており、その永久磁石の、前記電流駆動コイルとの相互作用により、ステータの周りでロータの回転運動を生成する。
【０００７】
本発明によれば、一方では、ステータが、特に前記ステータの中央壁の内面が、ステータが取り付けられる支持手段に接触し、前記支持手段が導電性であり電気的接地に電気的に接続されるように構成が設けられ、他方では、少なくとも１つのシールドがステータの近傍に位置付けられ、また前記シールドが電気的接地に対して電気的に接続されるように構成が設けられる。
【０００８】
この構成は、電気的接地に連結された導電性包囲体の形成を可能にし、したがって固定電位に維持され、ステータのコイルにおける電流スイッチングによって生成される電場を空気脈動装置内で封じ込めることができるシールドを形成し、電場を生成する。
【０００９】
単独で又は組み合わされて取り入れられる、支持手段に対するステータの電気的接続に特有の第１の一連の特徴によれば、構成は、以下ために作られることができる：
−  中央壁の内面は、前記内部穴を、その穴の内側に向かって半径方向に延在する少なくとも１つのリブを有するように定める；
−  このリブは２つの側面を有し、それぞれの側面は、中央壁の前記内面及び支持手段に接触するのに適している接触面を延長する；
−  接触面が、接触面の曲率が内部穴の軸上に中心がある円によって定められるように、内側に湾曲される；
−  少なくとも１つのリブが、実質的に内部穴の軸に向かって、接触面から突き出て延びるピンによって、延長される；
−  中央壁の内面は、規則的な角度分布に従って位置決めされた少なくとも３つのリブを含むように、中央穴を定める；
−  ステータの内部穴はテーパ形状を有し、それによってその穴が、プレートに向けられたその端部において、ロータに向けられたその端部においてよりも、より大きな径を有する。
【００１０】
有利には、支持手段が、スリーブとプレートとを含む単一部品によって形成され、ステータがスリーブの周りにおいて取り付けられ、スリーブにおいてロータに固定された前記出力軸が回転可能に取り付けられ、スリーブは、前記ロータの側とは反対のステータの一方側において横に位置付けられたプレートから突出するように、構成は設けられる。ステータのための及びロータのための支持手段として働く単一部品を有するという事実は、ロータとステータとの間の良好な同軸整列を得ることを可能にし、それによってスピードアップ及びスローダウンの段階が交互に起こることなどのモータの誤作動のリスクが制限される。
【００１１】
これに関連して、転がり軸受を介してスリーブの内側で回転するように取り付けられる前記モータの出力軸を提供することが可能である。また、支持手段のプレートは、特にステータのコイルに電力を供給するために、制御電子回路基板を支持するヒートシンクを形成することができ、そして制御電子回路基板は、スリーブとは反対に方向付けられたプレートの面において位置付けられる。
【００１２】
単独で、又は互いに組み合わされて、そして上述の第１の一連の特徴と組み合わされて使用される第２の一連の特徴によれば、シールドがロータとステータとの間で出力軸に対して横になるように位置付けられるように、構成が設けられることができる。
【００１３】
−  シールドは、ステータの全径にわたって半径方向に延びる；
−  シールドは、モータ出力シャフトによって通過される穴によってその中心で穿孔された実質的に平坦な環状形状を有する；
−  シールドは、ステータに形成された孔と協働可能な少なくとも１つの固定ネジによって、ステータ上に固定されている；
−  ステータの内部穴は、前記内部穴を定める中央壁の内径の変更により、２つの別個の部分を有し、より大きな径の第１の部分は、シールドの近傍において半径方向に位置付けられたエッジから、より小さな径の第２の部分の範囲を定める肩部エッジに延在し、前記孔は、肩部エッジにおいて形成される固定ねじと協働する；
−  シールドは、シールドの中央穴の範囲を定めるエッジを、実質的に直角に延長する少なくとも１つのタブを備え、その少なくとも１つのタブの自由端は支持エッジを有し、そのためシールドがステータを覆う位置にある場合に、この支持エッジによってタブが肩部エッジに接触する；
−  支持エッジは、固定ネジの本体が固定孔内に通され、ネジ頭によって肩部エッジに対して押しつけられることを可能にするように、配置される；
−  ３つの固定孔は、ステータの内部穴の周囲にわたって１２０°で均一に分布している；
−  シールドは、前記ステータを通過して前記支持手段に係合することにより、モータ出力軸に実質的に平行に延びる前記少なくとも１つの固定ネジを介して、実質的にゼロ電位に接続される；
−  ステータは、前記ステータの内側穴の範囲を定める中央壁の内面から突出して配置された少なくとも１つの軸方向ボスを有し、前記ボスは、少なくとも１つの固定ネジによって通過されることが可能な固定孔によって軸方向に穿孔される；
−  シールドは、例えばアルミニウムであり得る導電性材料で作られる。
【００１４】
上述した第２の一連の特徴の主題であったシールドを、ステータのカバーの一部を形成する第１のシールドとして設けることも可能であり、そのステータがまた第２のシールドを有し、その第２のシールドは、前記ステータと支持手段との間で、第１のシールドによって覆われる側とは反対のステータの軸方向側でステータを覆って配置される。
【００１５】
異なる変形実施形態によれば、この第２のシールドは、モータの出力軸に対して横方向または平行に延びることができる。
【００１６】
第１のケースでは、横方向に延びる第２のシールドを用いて、第２のシールドをステータの径の全部にわたって半径方向に延在させるように設けることが可能であり；そして第２のシールドはまた、その中心でモータ出力軸によって通過されるように貫通された実質的に平坦な環状形状を有することができる。そして、第２のシールドをステータ上に固定することができる。
【００１７】
第２のケースでは、軸方向に延びる第２のシールドを用いて、この第２のシールドを前記ステータの周囲で支持された複数のプレートの延長部において実質的に延在させることが可能である。そして、第２のシールドは、環状クラウンリング（ｃｒｏｗｎ  ｒｉｎｇ）形状を有することができ、ステータ上に、または直接的にプレート上に固定され得る。ここでもまた、第２のシールドが、導電性材料で、例えばアルミニウムで、作られることが有利である。
【００１８】
本発明はまた、ちょうど先に説明したものに基づく少なくとも１つの空気脈動装置を含む動力車の加熱、換気及び／又は空調システムに関する。
【図面の簡単な説明】
【００１９】
本発明の他の特徴及び利点は、実施形態の以下の詳細な説明を読むことによって、及び添付の図面に対する参照の理解するために、明らかになるであろう。
【図１】図１は、本発明による空気脈動装置の斜視分解図である。
【図２】図２は、本発明によって、電磁放射線のための半径方向封じ込め手段を含む空気脈動装置を概略的に示す。
【図３】図３は、本発明による空気脈動装置において電気モータが装備されているステータの斜視図である。
【図４】図３のステータの部分上面図である。
【図５】図５は、空気脈動装置を概略的に示し、本発明によってその空気脈動装置は、電磁放射線のための半径方向封じ込め手段と、これらの同じ放射線のためのシールドを備える軸方向封じ込め手段とを、第１の実施形態に従って備える。
【図６】図６は、第１の変形実施形態による、２つのシールドを備えた軸方向封じ込め手段及びステータの斜視図である。
【図７】図７は、空気脈動装置を概略的に示し、本発明によってその空気脈動装置は、電磁放射線のための半径方向封じ込め手段と、これらの同じ放射線のための２つのシールドを有する軸方向封じ込め手段とを、第２の変形実施形態に従って備える。
【図８】図８は、空気脈動装置を概略的に示し、本発明によってその空気脈動装置は、電磁放射線のための半径方向封じ込め手段と、これらの同じ放射線のための２つのシールドを有する軸方向封じ込め手段とを、第３の変形実施形態に従って備える。
【図９】図９は、図８の装置の詳細の斜視図である。
【発明を実施するための形態】
【００２０】
空気を吸入及び／又は吹き出すことを可能にする空気脈動装置１は、少なくとも１つの電子的に切り替えられる電気モータ２を含み、その電気モータ２は、その電気モータの出力シャフト８を介してファンホイール４を回転駆動することができ、そのファンホイール４はここでは複数のフィン６を有するタイプである。その装置はまた、電気モータ２の支持、前記装置の構成要素の冷却、及び前記電気モータの制御電子回路基板１２の支持を含むいくつかの機能を組み込んだ少なくとも１つの支持手段１０を含む。
【００２１】
電気モータは主に誘導ステータ１４と、ファンホイール４を駆動可能な出力シャフト８を支持する誘導ロータ１６とを含む。そのステータ１４はモータの支持手段１０に対して固定され、そのロータ１６は、ステータ１４の周りに配置され、ロータ及びステータに関連づけられた磁石及び巻線によって生成された磁場の影響下で回転駆動される。
【００２２】
図３に見られるように、ステータ１４は、内部穴２０の輪郭を画定する中央壁１８を有する環状形状を有する。中央壁は、内部穴に向かって曲げられた内面２２と、星形に放射状に配置された複数の歯２６によって延長された外面２４とを有する。
【００２３】
ステータの内部穴２０は、前記内部穴を画定する中央壁の内径の変更により、区別された複数の部分を有し、より大きな径を有する部分が、中央壁の軸方向端部のエッジから、より小さな径の内部穴の中央部分を画定する肩部エッジ２８まで延在する。この中央部分では、ステータは、内面から突出して配置された少なくとも１つの軸方向ボス３０を有し、前記ボスは、以下に説明するように、固定孔３２によって軸方向に穿孔されている。
【００２４】
歯のストレート壁の周りに巻かれるように作られる巻線用の当接壁を形成するために、歯２６は、ストレート壁によって形成され、その近位半径方向端部はステータ１４の中央壁１８に固定され、その自由遠位半径方向端部はプレート３４によって延長され、そのプレート３４は、ステータの全高にわたって延び、ストレート壁よりも幅が広い。各プレートは、互いに接着されたシート鋼の異なる層の重ね合わせによって、ストレート壁の反対側に被覆される。
【００２５】
ステータ１４は、各々が少なくとも１つ巻線３６を含む複数の相からなる励磁巻線を備え、その出力は、ここには示されていない電源手段（図３には接続手段３８のみが見える）に電気的に接続される。
【００２６】
特定の実施形態では、ステータは、三相構成で巻かれた１２個の歯を含む。ワイヤ巻線は歯の周りに形成され、各歯は巻線要素を支持する。図３に示すように、歯の端部に担持されたプレート３４と、そこに接着された金属層とは、それらの間に通路４０のゾーンをもたらすように寸法決めされており、それは、歯の周りにおいてワイヤの巻き線を行うことを必要とするスペースを許容することができる。
【００２７】
ロータ１６は、ベル形状であり、前記クラウンリングの端部に配置された閉鎖壁４４及び環状のクラウンリング４２を有する。閉鎖壁は、クラウンリングの軸線に対して実質的に直角である平坦な形態、あるいはクラウンリングから明確な距離の内側に湾曲した形態を有すること可能であり、それはその中心においてモータ出力シャフト８を支持する。
【００２８】
クラウンリング４２は、ロータがステータを覆うことができるように、ステータの外径よりも大きな径を有する。クラウンリングは、この被覆位置でステータに向かって曲げられた内面を有し、少なくとも１つの永久磁石４６がロータのクラウンリングのこの内面上に配置される。
【００２９】
モータが組み立てられる場合、ステータ１４は、クラウンリング４２によって画定されたロータ１６の本体に配置される。したがって、ロータ１６によって担持される永久磁石４６が、コイルに電流が供給される場合にステータ１４のコイルによって発生される磁場において常に位置決めされるように、ロータ及びステータが配置され、ステータの周りにロータの回転運動を発生させる。
【００３０】
本発明による電気モータ２を含む空気脈動装置１では、ロータの閉鎖壁４４がファンホイール４に向けて曲げられ、ロータ１４が支持手段１０に面して配置されるように、ステータ１４及びロータ１６が配置される。支持手段は、プレートから突出して配置され且つプレートの実質的に中央に現れる内側チャネル５２を有するスリーブ５０及びプレート４８の形態をとり、それは、ここでは図１に図示するフレーム５４を介し、車両の構造体に対して固定される。
【００３１】
プレート４８は、スリーブ５０の内側チャネルの回転の軸線に対して実質的に直角の平面において延びている。スリーブは、実質的に円筒形であり、ステータ１４の内部穴２０に収容されることができ、ロータ１６に固定された出力シャフト８を受け入れることができ、それによって、この支持手段１０がステータ１４に対するロータ１６の正確な位置決めを確実にすることが理解されるであろう。スリーブ５０とプレート４８とが一体部品を形成していることが、図１，２，６，８、及びより明確には図９において、見ることができ、スリーブの及びプレートの分離がこれらの構成要素の一方又は他方の破壊をもたらしはするが、支持手段は一体部品であることが理解される。図面において、プレート４８は、ディスク形状を有するが、例えば長方形、正方形、楕円形などの、他の形態をとることも可能であることが理解されるであろう。
【００３２】
支持手段のプレート４８は、特にステータのコイルに電力を供給するために、制御電子回路基板１２を支持するヒートシンクを形成する。制御電子回路基板は、スリーブ５０から離れるように配向されたプレート４８の面上に配置される。
【００３３】
好ましくは、支持手段１０は金属製である。これにより、ヒートシンクとして働くプレート４８は、熱伝導により電子部品を効果的に冷却することができる。さらに、支持手段が金属で製造されるという事実は、電子部材によって放射される電磁放射線を遮断することを可能にし、これらの放射線は電気モータの作動を妨害する可能性がある。さらに、支持手段が金属製であるという事実は、支持手段１０を介してステータ１４を接地に接続することを可能にする。実際には、支持手段１０のプレート４８は、ここではフレーム５４を介し、車両の構造体に対して固定され、支持手段がアースに電気的に接続されているとみなされる。優先的には、支持手段は、軽さの特性及び良好な熱伝導の特性がこの部分に関連し得るように、アルミニウムで作られる。
【００３４】
特に図２、図５、図７及び図８に見られるように、ステータ１４は支持手段１０上に固定され、ロータ１６はステータ１４の周りを回転するように構成される。特に、ステータは、スリーブ５０の周りに配置されるが、スリーブの外面と接触しており、その一方で、ロータ１６は、それが固定される出力シャフト８を介し、スリーブの内側チャネル５２に受け入れられる。図２及び図３において歯のまわりの巻線の例として示される、コイルワイヤの電力供給は、磁場５６を生成し、それはそれが支持する永久磁石４６の影響下で駆動されるロータの回転を強制する。その結果は、図示されているように、ロータ１６によって支持され、転がり軸受を介して支持手段のスリーブ５０内で回転するように取り付けられたモータの出力シャフト８の駆動である。
【００３５】
２つの転がり軸受け５８，５９がスリーブ５０の内側チャネル５２内に挿入され、ロータ１６によってそうしないと回転駆動されるモータの出力シャフト８のための回転ガイドとして機能する。これらの転がり軸受は、概略的に図示されているように、ボールベアリングとしうるが、それらはローラー、ニードル、或いは他のそのようなベアリングの形態をとりうることができることが理解されるであろう。
【００３６】
空気脈動装置１のファンホイール４は、ステータ１４及び支持手段１０とは反対に延在するモータの出力シャフト８の自由端に固定され、その周囲に配置された複数のフィン６を備える。ロータの回転は、ホイールを回転駆動し、それはフィンを介してパルス状の空気を生成するのに寄与する。
【００３７】
本発明によれば、ロータ１６及びステータ１４によって形成された電気モータ２は、モータ及び空気脈動装置からの電磁放射線の伝播を回避するための封じ込め手段も含むことが特に注目される。
【００３８】
特に、モータは、放射状封じ込め手段、すなわちモータの出力シャフトの軸線に対して直角に、これらの電磁放射線の半径方向の伝搬を回避することを可能にする手段、を含む。
【００３９】
前記ステータの中央壁１８の内面２２は、プレート４８から突出して配置されたスリーブ５０と接触しているが、スリーブ５０及びプレート４８によって形成された一体部品は金属であり、実質的にゼロ電位に接続されていることが理解される。その結果、ステータ１４の外周上のプレート３４上に配置された金属層はゼロ電位にされ、ファラデーケージに相当することによって、半径方向封じ込め手段を形成する。
【００４０】
これらの放射状封じ込め手段が有効であるために、プレート３４のゼロ電位への正確な電気的接続を確実にすること、したがってステータ１４と支持手段１０との間の良好な接触を確かにすることが重要である。
【００４１】
図３及び図４には、この良好な接触を確実にするための手段が示されており、これは、特に、ステータ１４の内部穴２０を定める中央壁１８の内面２２が、内部穴２０の内側に向かって半径方向に延在する少なくとも１つのリブ６０を有するという事実によって得られる。このリブ６０は、中央壁１８の前記内面を各々が延長する２つの側面６２と、支持手段のスリーブと接触可能な接触面６４とを有する。接触面６４は、接触面の曲率が内部穴２０の軸上に中心がある円によって定められるように、内側に湾曲されている。ステータの内部穴２０がこれらのリブ６０の３つを含み、これらのリブ６０は、規則的な角度分布に従って、本ケースでは１２０度で、配置されている。このようにして、支持手段の円筒状のスリーブを受け入れるように、円形部分のシートが作り出されている。
【００４２】
また構成は、支持手段のスリーブとステータとの間の接触をより一層効果的に確実にするために、有利には少なくとも１つのリブ６０を変更し、特に、接触面６４から突出して延在するピン６６によって、それを、実質的に内部穴の軸に向けて延長するように設けられることができる。有利には、図示のように、このピン６６は、スリーブがステータの内部穴内に嵌め込まれた場合に破損しないように十分に堅固なスパイクの形態をとることができ、これらのリブ６０の各々はそのようなピン６６を支持することができる。
【００４３】
図示されていない変形例によれば、テーパ形状を有するようにステータの内部穴２０を設けることが可能であり、それによりその穴は、プレート４８に向けられた曲げられたその端部において、ロータに向けられた曲げられたその端部におけるよりも、大きな径を有し、ステータ１４が取り付けられている支持手段のスリーブ５０の外形も、テーパ形状を有するように設けることが可能である。このようにして、ステータが支持手段上に取り付けられた場合に、スリーブの全周にわたって接触が保証される。
【００４４】
第１の部分が、プレートの直接的な延長部において、スリーブの自由端まで第１の部分を延長する第２の部分よりも大きな外径を有するように、軸方向に二つの区別された部分を持つようにスリーブ５０を設けることも可能である。このようにして、２つの部分の間に肩部が形成され、それがスリーブの周りに挿入される際に、この肩部上にステータが当接することができる。そのような肩部６８は、例えば図９に示すように見ることができる。そのような構成は、いくつかの接触領域を確保し、したがって支持手段とステータとの間の良好な電気的接続を確保するように、場合によっては前述のピン６６を備えるリブ６０の存在と組み合わされるべきである。
【００４５】
ここで、導電性材料で、特にアルミニウムで、作られ、接地に電気的に接続された少なくとも１つの追加のシールドの存在から、封じ込め手段が構成されるという点で、特定の実施形態の説明が続く。特に、そのようなシールドをステータ１４の一方の側または他方の側に、または両側に、配置するように、構成が作られうる。
【００４６】
図５において、モータ２は第１のシールド７０を備え、第１のシールド７０は、ステータ１４とロータ１６との間で、出力シャフト８に対して横方向に配置され、電磁放射線のための軸方向の封じ込め手段を形成する。効果的な封じ込め手段を形成するために、第１のシールド７０は、ステータの全径にわたって横方向に延びる。
【００４７】
図６に示すように、第１のシールド７０は実質的に平坦な環状形状を有し、その実質的に平坦な環状形状は、ロータ１６とステータ１４との間に延在するモータの出力シャフト８によって通過されるように、穴７２によってその中心で穿孔されるように、構成が設けられることができる。
【００４８】
第１のシールド７０は、実質的にシールドの中央でステータ１４上に固定されている。また、ねじ止めに基づいて設けられた固定手段は、この第１のシールド７０が接地に接続されることを可能にする。このために、第１のシールド７０は、第１のシールドの中央穴７２の範囲を定めるエッジを実質的に直角に延長する少なくとも１つのタブ７６を含む。このタブの自由端は、タブの残りの部分に対して直角に折り返された支持エッジ７８を有し、第１のシールド７０がこのステータ１４を覆う位置にある場合には、ステータと接触し、より具体的にはステータ１４の内部穴２０の肩部エッジ２８と接触する。第１のシールドは、このタブの支持エッジ７８がステータの厚みに作られた固定孔３２の周りに配置されるように、角度配置される。
【００４９】
支持エッジ７８は、対応する固定孔３２内にこのねじを挿入するために、モータ出力シャフトに実質的に平行に延びる固定ねじ８０の本体のための通路を許容するように、またねじヘッドによって肩部エッジ２８に対して押し付けられるように、配置される。
【００５０】
図示されているように、第１のシールド７０は、シールドの中央穴の周囲にわたって１２０°で均等に分布した３つの固定タブ７６を含み、３つの固定ネジ８０によってステータに対して第１のシールドが押しつけられるように多数の固定孔３２が設けられる。
【００５１】
有利には、第１のシールド７０の電気的接地のために固定ネジ８０を使用するように構成が設けられ、この接地は、第１のシールドが電磁放射線の伝播を制限することを可能にするために必要である。
【００５２】
第１のシールド７０は、固定ネジ８０のうちの少なくとも１つを介して接地されており、その固定ネジ８０は、この目的のためにステータ１４を貫通してステータの他方の側でプレート４８上に係合する。図５に示すように、この固定ネジ８０は、ステータ１４を貫通して形成された滑らかな固定孔を貫通し、プレートに形成されたねじ孔８２に係合する。３つの固定ネジの各々は、そのような構成を有することができ、あるいは固定ネジ８０の１つのみがステータ１４を貫通してプレート４８に係合し、他の２つの固定ネジがステータの本体における固定ねじ孔３２と協働するようにより短いことが理解されるであろう。シールドの電気的接続及びその接地は、金属プレート４８、プレートに係合された少なくとも１つの金属固定ねじ８０、及びシールドのタブ７６とねじヘッドとの間の接触を介して行われる。
【００５３】
ここで、特に図６〜８を参照して、ステータのより有効な被覆を形成するように２つのシールドが設けられている特定の実施形態の説明が続く。第１のシールド７０は、ロータ１６とステータ１４との間で前述したようにステータ１４を覆うように配置され、第２のシールドは、前記第１のシールド７０によって覆われる側とは反対のステータ１４の軸方向側、すなわち前記ステータ１４とプレート４８との間、に配置される。またこの第２のシールドは、第１のシールドと同様に、例えばアルミニウムのような導電性材料で作られている。
【００５４】
プレートの存在により、この第２のシールドはいくつかの変形を有することができる。図６に示す第１の変形例では、第２のシールド８６は、モータ出力シャフトの軸に対して横方向に延びており、それは、ステータに関してそれと対称であることによって、前述の第１のシールドと同様の形態を有する。このように、第２のシールドは、ステータの全径にわたって半径方向に延び、支持手段のスリーブによって通過されるようにその中心で穿孔された実質的に平坦な環状形状を有する。第２のシールドは、第１のシールドと同様に、ステータにねじ込まれる固定タブ８８を含む。先に説明した固定ネジ８０のうちの少なくとも１つは、プレートにおけるネジ孔と協働し、第２のシールド８６をステータ上に押し付けるここには示されていないナットと係合するのに十分に大きい高さにわたってねじ留めされている。したがって、第１のシールド７０及び第２のシールド８６は、同じ実質的にゼロ電位で接地され、電磁放射線の最適な軸方向の閉じ込めが確保される。
【００５５】
図７に示す第２の変形例では、第２のシールド９０は、ちょうど述べたように、モータ出力シャフト８の軸を横切っており、ステータ１４の全径にわたって半径方向に延び、実質的な平坦な環状の形態を有する。しかしながら、第２のシールドは、支持手段１０のスリーブ５０にその中心穴において取り付けられる点で、第１のシールドとは実質的に異なる。第２のシールド９０の接地は、それ自体がアースに接続されているプレート４８に固定されたスリーブ５０との接触によって行われる。アースに接続される１つの同じ部分を支持手段１０のプレート４８及びスリーブ５０が形成する場合にのみ、そのような変形実施形態が可能になることが理解されよう。これに関連して、ステータがゼロ電位に接続されたスリーブに取り付けられる場合、図７及び図８が、ステータに固定され、従ってプレートに係合するように通過する手段を有する必要がなく接地される第１のシールドを示すことが分かる。
【００５６】
図８及び図９に示す第３の変形例では、第２のシールド９２は、実質的に、前記ステータ１４の周囲で支持されたプレート３４の延長において、軸方向に延在することができ、そして第２のシールド９２は環状クラウンリング形状を有する。この場合、第２のシールドをステータ１４上またはプレート４８上に固定することが可能であり、この後者の場合は図示されている。そして第２のシールド９２の固定は、スリーブ５０の周りでプレート４８から突出して配置された第２のスリーブ９６において対応のねじ穴と協働する第２の固定ネジ９４によって行われる。クラウンリングを直角に延長する固定タブ９８は、接地部及び第２のスクリーンの固定を確実にする。
【００５７】
上記の説明は、どのように本発明がそのために設定された目的を達成することを可能にするかを説明することを目的としており、特に、製造が簡単で、取り付けが簡単で、特に効果的な封じ込め手段の生成によって、電磁放射線を封じ込める空気脈動装置を提案する。半径方向の封じ込めと軸方向の封じ込めとの両方によって、封じ込めがすべての方向において可能になることは特に注目に値し、この軸方向の封じ込めはステータとロータとの間に、及びステータとプレートとの間に、もたらされる。
【００５８】
しかしながら、本発明は、図１〜図９に照らして明示的に記載された実施形態に適合する空気脈動装置のみには限定されない。一例として、本発明の範囲から逸脱することなく、シールドの形態を変更することが可能であり、なぜならばそれはステータの少なくとも１つの側をしっかりと閉鎖する箱部分の良好な部分を形成するからである。変形実施形態では、シールドをステータまたはプレートに固定するための手段が、特にシールド接地手段とは異なることによって、異なる形態を有することができることも理解されよう。
【図１】
0006676075.tif 000002
【図２】
0006676075.tif 000003
【図３】
0006676075.tif 000004
【図４】
0006676075.tif 000005
【図５】
0006676075.tif 000006
【図６】
0006676075.tif 000007
【図７】
0006676075.tif 000008
【図８】
0006676075.tif 000009
【図９】
0006676075.tif 000010